【手続補正書】
【提出日】平成17年8月3日(2005.8.3)
【手続補正１】
【補正対象書類名】特許請求の範囲
【補正対象項目名】全文
【補正方法】変更
【補正の内容】
【特許請求の範囲】
【請求項１】
時間温度積算インジケータであって、
ａ）その上に配置した拡散的に光を反射する多孔質マトリックスを含む第１の基材、および
ｂ）その上に配置した非晶質材料を含む第２の基材、を含み、
前記非晶質材料は、少なくとも重量で約７０％の粘着付与剤を含み、
前記多孔質マトリックスと前記非晶質材料とが所定の温度またはそれ以上で相互に接触した場合に、前記非晶質材料が前記多孔質マトリックスの中に、温度が上昇するにつれて速度も上昇するようにして移行し、そして
前記非晶質材料の前記多孔質マトリックス中への移行によって、累積熱暴露を読み取り可能に表示する、インジケータ。
【請求項２】
時間温度積算インジケータであって、
ａ）その上に配置した拡散的に光を反射する多孔質マトリックスを含む第１の基材、および
ｂ）その上に配置した非晶質材料を含む第２の基材であって、前記非晶質材料が少なくとも重量で約３０％の粘着付与剤と重量で約３３％以下の接着剤ベース成分とを含む第２の基材、を含み、
前記多孔質マトリックスと前記非晶質材料が所定の温度またはそれ以上で相互に接触した場合に、前記非晶質材料が、前記多孔質マトリックスの中に、温度が上昇するにつれて速度も上昇するようにして移行し、そして
前記非晶質材料の前記多孔質マトリックス中への移行によって、累積熱暴露を読み取り可能に表示する、インジケータ。
【請求項３】
時間温度積算インジケータであって、
ａ）その上に配置した拡散的に光を反射する多孔質マトリックスを含む第１の基材、および
ｂ）その上に配置した非晶質材料を含む第２の基材、を含み、
前記非晶質材料は、重量で約３３％以下の接着剤ベース成分、および少なくとも重量で３０％の約０℃〜約１４０℃の環球式軟化点を有する粘稠な成分を含み、
前記多孔質マトリックスと前記非晶質材料が所定の温度またはそれ以上で相互に接触した場合に、前記非晶質材料が、前記多孔質マトリックスの中に、温度が上昇するにつれて速度も上昇するようにして移行し、そして
前記非晶質材料の前記多孔質マトリックス中への移行によって、累積熱暴露を読み取り可能に表示する、インジケータ。
【請求項４】
約１時間〜約２４時間のランアウトタイムを有する、請求項１、２または３に記載のインジケータ。
【請求項５】
対象物の累積熱暴露を読み取り可能に表示するための方法であって、
（ａ）請求項１、２または３に記載の時間温度積算インジケータを提供する工程、
（ｂ）前記非晶質材料を前記多孔質マトリックスと接触する状態に置くことによって前記インジケータを始動させる工程であって、前記インジケータが所定の温度またはそれ以上になった場合には、前記非晶質材料が前記多孔質マトリックス中に温度が上昇するにつれて速度も上昇するようにして移行するようにし、それによって、累積熱暴露を読み取り可能に表示する工程、および
（ｃ）前記インジケータを前記対象物の上に搭載する工程、
を含み、
工程（ｂ）および（ｃ）は、任意の順に順次実施することができる、方法。
【請求項６】
時間温度積算インジケータシステムであって、
第１のインジケータであって、
ａ）その上に配置した拡散的に光を反射する多孔質マトリックスを含む第１の基材、および
ｂ）その上に配置した非晶質材料を含む第２の基材、を含み、
前記多孔質マトリックスと前記非晶質材料とが第１の所定の温度またはそれ以上で相互に接触した場合に、前記非晶質材料が、前記多孔質マトリックスの中に、温度が上昇するにつれて速度も上昇するようにして移行し、そして
前記非晶質材料の前記多孔質マトリックス中への移行によって、累積熱暴露の第１の読み取り可能な表示が作りだされる、第１のインジケータ、および
第２のインジケータであって、
ｃ）その上に配置した拡散的に光を反射する多孔質マトリックスを含む第１の基材、および
ｄ）その上に配置した非晶質材料を含む第２の基材、を含み、
前記多孔質マトリックスと前記非晶質材料とが第２の所定の温度またはそれ以上で相互に接触した場合に、前記非晶質材料が、前記多孔質マトリックスの中に、温度が上昇するにつれて速度も上昇するようにして移行し、そして
前記非晶質材料の前記多孔質マトリックス中への移行によって、累積熱暴露の第２の読み取り可能な表示が提供される、第２のインジケータ、
を含むインジケータシステム。
【請求項７】
対象物の累積熱暴露を読み取り可能に表示するための方法であって、
（ａ）請求項６に記載の時間温度積算インジケータシステムを提供する工程、
（ｂ）前記第１のインジケータを、その中の前記非晶質材料をその中の前記多孔質マトリックスと接触状態に置くことによって始動させる工程であって、それによって、前記第１のインジケータが前記第１の所定の温度またはそれ以上になると、前記非晶質材料が、温度が上昇するにつれて速度も上昇するようにして、前記多孔質マトリックスの中に移行して、それによって第１の累積熱暴露を読み取り可能に表示させるようにする工程、
（ｃ）前記第２のインジケータを、その中の前記非晶質材料をその中の前記多孔質マトリックスと接触状態に置くことによって始動させる工程であって、それによって、前記第２のインジケータが前記第２の所定の温度またはそれ以上になると、前記非晶質材料が、温度が上昇するにつれて速度も上昇するようにして、前記多孔質マトリックスの中に移行して、それによって第２の累積熱暴露を読み取り可能に表示させるようにする工程、および
（ｄ）前記第１および第２のインジケータを前記対象物の上に搭載する工程、を含み
工程（ｂ）、（ｃ）および（ｄ）は、任意の順に順次実施することができる、方法。
【請求項８】
対象物の累積熱暴露を多重に読み取り可能に表示するための方法であって、
（ａ）請求項１、２または３に記載の第１の時間温度積算インジケータを提供する工程、
（ｂ）前記第１のインジケータを、前記非晶質材料を前記多孔質マトリックスと接触状態に置くことによって始動させる工程であって、それによって、前記第１のインジケータが前記第１の所定の温度またはそれ以上になると、前記非晶質材料が、温度が上昇するにつれて速度も上昇するようにして、前記多孔質マトリックスの中に移行して、それによって第１の累積熱暴露を読み取り可能に表示させるようにする工程、
（ｃ）前記第１のインジケータを前記対象物の上に搭載する工程であって、工程（ｂ）および（ｃ）は任意の順に順次実施することができる工程、
（ｄ）第２の時間温度積算インジケータを提供する工程であって、そのインジケータは
ｉ）その上に配置した拡散的に光を反射する多孔質マトリックスを含む第１の基材、および
ｉｉ）その上に配置した非晶質材料を含む第２の基材、を含む工程、
（ｅ）前記第２のインジケータを、前記非晶質材料を前記多孔質マトリックスと接触状態に置くことによって始動させる工程であって、それによって、前記第２のインジケータが前記第２の所定の温度またはそれ以上になると、前記非晶質材料が、温度が上昇するにつれて速度も上昇するようにして、前記多孔質マトリックスの中に移行して、それによって第２の累積熱暴露を読み取り可能に表示させるようにする工程、および
（ｆ）前記第２のインジケータを前記対象物に搭載する工程であって、工程（ｅ）および（ｆ）は任意の順に順次実施することができる工程、を含む方法。
【請求項９】
時間温度積算インジケータに使用するためのインジケータテープであって、
基材、および
前記基材の上に配置した非晶質材料を含み、前記非晶質材料が少なくとも重量で約７０％の粘着付与剤を含む、インジケータテープ。
【請求項１０】
時間温度積算インジケータに使用するためのインジケータテープであって、
基材、および
前記基材の上に配置した非晶質材料を含み、前記非晶質材料が少なくとも重量で約３０％の粘着付与剤と重量で約３３％以下の接着剤ベース成分とを含む、インジケータテープ。
【請求項１１】
時間温度積算インジケータに使用するためのインジケータテープであって、
基材、および
前記基材の上に配置した非晶質材料を含み、前記非晶質材料が重量で約３３％以下の接着剤ベース成分と、少なくとも重量で３０％の約０℃〜約１４０℃の環球式軟化点を有する粘稠な成分とを含む、インジケータテープ。